(57)【要約】      （修正有）【課題】レーザーポインタ機能を有し、利便性に優れた携帯端末を提供する。【解決手段】無線通信を行うためのアンテナや送受信部からなる無線通信手段である無線部２０１と、レーザー光をスポット的に照射するレーザーポインタ出力部２０４と、テンキー部に対する操作に応じて、所定の機器を操作するためのリモートコントロール信号を出力するリモコン出力部２０３と、これらを制御する制御部２０２から構成される。レーザーポインタ出力部２０４は、照射するレーザー光の色が可変である。【選択図】図２
2008206026.tif 000002
【特許請求の範囲】
【請求項１】
無線通信手段と、レーザー光をスポット的に照射するレーザーポインタ出力手段とを有する携帯端末であって、
前記レーザーポインタ出力手段は、照射するレーザー光の色が可変である携帯端末。
【請求項２】
請求項１に記載の携帯端末において、
前記無線通信手段を用いて通信を行う際に操作する操作手段を有し、
前記レーザーポインタ出力手段は、前記操作手段に対する操作に応じた色のレーザー光を照射することを特徴とする携帯端末。
【請求項３】
請求項２に記載の携帯端末において、
前記操作手段に対する操作に応じて、所定の機器を操作するためのリモートコントロール信号を出力するリモコン出力手段を有することを特徴とする携帯端末。
【請求項４】
請求項１に記載の携帯端末において、
前記レーザーポインタ出力手段は、前記無線通信手段における着信時に、照射しているレーザー光の色を変更することを特徴とする携帯端末。
【請求項５】
請求項１乃至４のいずれか１項に記載の携帯端末において、
前記レーザーポインタ出力手段は、互いに異なる色を照射する複数のレーザー光源を有し、該複数のレーザー光源を選択的に用いることにより、レーザー光の色を変更することを特徴とする携帯端末。
【請求項６】
請求項１乃至４のいずれか１項に記載の携帯端末において、
前記レーザーポインタ出力手段は、照射するレーザー光の周波数を変更することにより該レーザー光の色を変更することを特徴とする携帯端末。
【発明の詳細な説明】
【技術分野】
【０００１】
本発明は、携帯電話機等の携帯端末に関し、特に、レーザーポインタ機能を有する携帯端末に関する。
【背景技術】
【０００２】
レーザーポインタは、プロジェクター等を使ってプレゼンテーションを行う場合に、レーザー光を照射することにより、示したい場所を的確に示すことができる。このようなレーザーポインタにおいては、リモコン機能を付加したものや、撮影機能及びその撮影データを送信する機能を付加したものが考えられており、特許文献１，２に開示されている。
【０００３】
ところで、近年、携帯電話機は、従来の通話機能だけではなく、カメラ機能や音楽再生機能を有するものが製造、販売されるようになり、それにより、携帯電話機を持ち歩くユーザーは増加の傾向にあると言える。そこで、携帯電話機にレーザーポインタ機能を付加したものも考えられ、特許文献３に開示されている。このように、携帯電話機にレーザーポインタ機能を付加することにより、レーザーポインタを常時持ち歩くことが容易となる。
【特許文献１】実開平７−１１０８２号公報
【特許文献２】特開平１０−１１２８５５号公報
【特許文献３】特許第２９９６９６４号公報
【発明の開示】
【発明が解決しようとする課題】
【０００４】
しかしながら、特許文献３に開示されたもののように、携帯電話機にレーザーポインタ機能を付加しただけでは、利便性に優れているとは言いがたい。
【０００５】
本発明は、上述したような従来の技術が有する問題点に鑑みてなされたものであって、レーザーポインタ機能を有し、利便性に優れた携帯端末を提供することを目的とする。
【課題を解決するための手段】
【０００６】
上記目的を達成するために本発明は、
無線通信手段と、レーザー光をスポット的に照射するレーザーポインタ出力手段とを有する携帯端末であって、
前記レーザーポインタ出力手段は、照射するレーザー光の色が可変である。
【０００７】
上記のように構成された本発明においては、無線通信手段を有する携帯端末にレーザーポインタ出力手段が設けられていることにより、レーザーポインタを常時持ち歩くことが容易となるとともに、レーザーポインタ出力手段から照射されるレーザー光の色が可変であるため、用途に応じてレーザー光の色を変更することにより、利便性が高まる。
【発明の効果】
【０００８】
以上説明したように本発明においては、レーザーポインタ出力手段から照射されるレーザー光の色が可変であるため、用途に応じてレーザー光の色を変更することにより、利便性を高めることができる。
【発明を実施するための最良の形態】
【０００９】
以下に、本発明の実施の形態について図面を参照して説明する。
【００１０】
図１は、本発明の携帯端末の実施の一形態を示す外観斜視図であり、図２は、図１に示した携帯電話機１００の内部構成を示すブロック図である。
【００１１】
本形態は図１に示すように、２つの筐体１０３ａ，１０３ｂがヒンジ部１０４を介して折り畳み可能に連接して構成された携帯電話機１００であって、一方の筐体１０３ａには、情報が表示されるメインＬＣＤ部１０１と、レーザー光を照射するレーザーポインタ部１０８と、情報が音声出力されるレシーバ音孔１０２とが設けられており、他方の筐体１０３ｂには、操作手段となる操作部１０５及びテンキー部１０６と、音声情報が入力されるマイク音孔１０７とが設けられている。なお、レーザーポインタ部１０８においては、筐体１０３ａ上部に実装することに限らず、任意の位置に実装してよい。また、レーザーポインタ機能とリモコン機能を使用する場合は、レーザーポインタ部１０８とテンキー部１０６を使用するが、レーザーポインタ機能用に特定のキーを実装してもよい。
【００１２】
また、図１に示した携帯電話機１００は図２に示すように、無線通信を行うためのアンテナや送受信部からなる無線通信手段である無線部２０１と、レーザーポインタ部１０８を介してレーザー光をスポット的に照射するレーザーポインタ出力部２０４と、テンキー部１０６に対する操作に応じて、所定の機器を操作するためのリモートコントロール信号を出力するリモコン出力部２０３と、これらを制御する制御部２０２とを有している。
【００１３】
上記のように構成された携帯電話機１００においては、ユーザーがテンキー１０６を操作すると、その操作に応じたキー情報２００が制御部２０２に取り込まれ、制御部２０２の制御によって、制御部２０２に取り込まれたキー情報２００に応じてリモコン出力部２０３とレーザーポインタ出力部２０４が動作する。また、制御部２０２においては、無線部２０１を用いて通話を実現する。
【００１４】
以下に、上述した携帯電話機１００の動作について説明する。
【００１５】
図３は、図１及び図２に示した携帯電話機１００の動作の一例を説明するためのフローチャートである。
【００１６】
携帯電話機１００の待ち受け状態において（ステップＳ３０１）、レーザーポインタ機能あるいはリモコン機能を選択するためのメニュー画面がメインＬＣＤ部１０１に表示され、そのメニュー画面において、レーザーポインタ機能あるいはリモコン機能が選択されると（ステップＳ３０２）、制御部２０２の制御によって、レーザーポインタ機能及びリモコン機能のうち選択された機能が起動してＯＮ状態となる（ステップＳ３０３）。
【００１７】
レーザーポインタ機能がＯＮ状態となった場合は、操作部１０５あるいはテンキー部１０６が操作されると、レーザーポインタ出力部２０４からレーザーポインタ部１０８を介してレーザー光がスポット的に照射される。またこの際、レーザーポインタ出力部２０４から照射されるレーザー光の色は、操作される操作部１０５あるいはテンキー部１０６に応じて決まる。そのため、例えば、レーザーポインタ部１０８を発光ポインタとして利用する場合は、操作部１０５あるいはテンキー部１０６のうちそれに応じたキーが操作されると赤色のレーザー光が照射され、また、レーザーポインタ部１０８を懐中電灯として利用する場合は、操作部１０５あるいはテンキー部１０６のうちそれに応じたキーが操作されると白色のレーザー光が照射されるというようなことができる。このように異なる色の光を照射する手段としては、レーザーポインタ出力部２０４が、互いに異なる色を照射する複数のレーザー光源を有し、この複数のレーザー光源を選択的に用いることにより、レーザー光の色を変更したり、１つの光源の出力側に光変調器を配置して照射するレーザー光の周波数を変更することによりレーザー光の色を変更したりすることが考えられる。
【００１８】
また、リモコン機能がＯＮ状態となった場合は、操作部１０５あるいはテンキー部１０６が操作されると、その操作に応じて所定の機器を操作するためのリモートコントロール信号がリモコン出力部２０３から出力される。
【００１９】
その後、終了メニューにおいて、ＯＮ状態となっているレーザーポインタ機能あるいはリモコン機能の終了が指定されると（ステップＳ３０４）、レーザーポインタ機能あるいはリモコン機能がＯＦＦ状態となり、待ち受け状態となる。
【００２０】
図４は、図１及び図２に示した携帯電話機１００の動作の他の例を説明するためのフローチャートである。
【００２１】
携帯電話機１００の待ち受け状態において（ステップＳ４０１）、レーザーポインタ機能を選択するためのメニュー画面がメインＬＣＤ部１０１に表示され、そのメニュー画面において、レーザーポインタ機能が選択されると（ステップＳ４０２）、制御部２０２の制御によって、レーザーポインタ機能が起動してＯＮ状態となる（ステップＳ４０３）。
【００２２】
この状態において、無線部２０１を介して着信があった場合（ステップＳ４０４）、制御部２０２の制御によって、レーザーポインタ出力部２０４から照射されるレーザー光の色が変更され（ステップＳ４０５）、その後、操作部１０５を操作することにより着信に応答すると、動作モードが無線部２０１を介した通話モードに変更され、レシーバ音孔１０２やマイク音孔１０７を用いて通話が行われる（ステップＳ４０６）。
【００２３】
このようにすることで、例えば、プレゼンテーション中において、着信があった場合に着信音を鳴らしたり、バイブレータの振動音を発生させたりすることなく、着信を通知することができ、静かな環境でのプレゼンテーションを継続することができる。また、レーザーポインタ機能がＯＮ状態の場合においても、操作部１０５あるいはテンキー１０６の操作によってレーザーポインタ出力部２０４からレーザー光が照射されていない場合は、バイブレータをＯＮ状態としておくことにより、着信を認識することができる。
【００２４】
なお、本形態においては、携帯端末として携帯電話機１００を例に挙げて説明したが、本発明の携帯端末は、ＰＨＳ（Personal Handyphone System）や、ＰＤＡ（Personal Data Assistance，Personal Digital Assistants：個人向け携帯型情報通信機器）等の携帯端末装置に適用可能であることは言うまでもない。
【図面の簡単な説明】
【００２５】
【図１】本発明の携帯端末の実施の一形態を示す外観斜視図である。
【図２】図１に示した携帯電話機の内部構成を示すブロック図である。
【図３】図１及び図２に示した携帯電話機の動作の一例を説明するためのフローチャートである。
【図４】図１及び図２に示した携帯電話機の動作の他の例を説明するためのフローチャートである。
【符号の説明】
【００２６】
１００    携帯電話機
１０１    メインＬＣＤ部
１０２    レシーバ音孔
１０３ａ，１０３ｂ    筐体
１０４    ヒンジ部
１０５    操作部
１０６    テンキー部
１０７    マイク音孔
１０８    レーザーポインタ部
２００    キー情報
２０１    無線部
２０２    制御部
２０３    リモコン出力部
２０４    レーザーポインタ出力部
【図１】
2008206026.tif 000003
【図２】
2008206026.tif 000004
【図３】
2008206026.tif 000005
【図４】
2008206026.tif 000006